(57)【要約】【課題】  シャボン玉玩具を用いて、子供たちがシャボン玉を連続的に飛ばす遊びにおいて、夕暮れ時、または周囲が暗くなることでシャボン玉の輝く美しさが見にくくなり遊びの楽しさが損なわれる問題を解決して、より楽しいシャボン玉玩具を提供する。【解決手段】  シャボン玉玩具の吹出し管に中電灯を載せる台座を設けて、台座に載せた懐中電灯を着脱自在にできるようにバンドを設けて、吹き出し口の前方に連続的に飛ぶシャボン玉を照らすことができる構成にして、夕暮れ、暗い状況でもシャボン玉の美しさを表現できるものである。【選択図】図４
2015061570.tif 000002
【特許請求の範囲】
【請求項１】
吹出し管に両端を止め、外しできるバンドを設けて、前記両端を止め、外しできるバンドによって懐中電灯を前記吹出し管に着脱自在に設けたことを特徴とするシャボン玉玩具。
【請求項２】
吹き出し管にバックルを備えた面ファスナーバンドを設けて、前記面ファスナイーバンドによって懐中電灯を前記吹き出し管に着脱自在に設けたことを特徴とするシャボン玉玩具。
【請求項３】
懐中電灯の筒状部を開鎖するバンドを吹出し管に設けて、前記懐中電灯を前記吹出し管に着脱自在にできる前記開鎖するバンドを設けたことを特徴とすることを特徴とするシャボン玉玩具。
【請求項４】
吹出し管に懐中電灯を着脱自在にできるバンドを複数設けて、前記懐中電灯を複数着脱できるように設けたことを特徴とする請求項１、２、又は３記載のシャボン玉玩具。
【発明の詳細な説明】
【技術分野】
【０００１】
本発明は、夕暮れ、または暗いところで、吹き出し口よりシャボン玉を空気中に飛ばすと、吹き出し部に設けたライトの光により輝き美しくできるシャボン玉玩具に関するものでる。
【背景技術】
【０００２】
従来、シャボン玉玩具は吹き出し口よりシャボン玉を連続的に飛ばすことで美しさを楽しむことであるが、夕暮れ時、または周囲が暗くなることでシャボン玉の輝きが見ることができず、飛ばすことをあきらめるか、照明の明るさをもとめることがある。
【０００３】
そこで、シャボン玉発生玩具でさまざまなものが開発、発明されている。
シャボン玉発生器の殻体と一体に凹入形成された第一凹口、第二凹口と図形フィルム、凸レンズ外蓋、及び発光装置が設置されている。第一凹口と第二凹口とはその間の距離が短く発光装置による照射距離が短縮されている。
よって、第二凹口は、板バネをもうけて、板バネが押し圧されると電源が供給され内蔵のランプが第二凹口の内部方向に発光し、第一凹口内部のフィルムを照射し、凸レンズ外蓋によってフィルム画像は拡大表示されるシャボン玉玩具がある（例えば特許文献１参照）
【０００４】
空気中にシャボン玉を浮かすシャボン玉発生器と屋内で冷気で氷化したシャボン玉を粉砕する風を起こすファンとから成るボタン雪発生装置を備え、粉砕したことにより氷の薄片のボタン雪を作ることが出来る。またそのシャボン玉液に蛍光塗料を混入しておき、その薄片のボタン雪にブラックライトを照射することにより、蛍光を発光させる装置がある（例えば特許文献２参照）。
【０００５】
シャボン玉吹き管に電源を電池としたライトを装着、又は着脱自在に設けて、シャボン玉の吹き口前方を照射することでシャボン玉を輝かせるシャボン玉玩具がある（例えば実用新案文献３参照）。
【先行技術文献】
【特許文献】
【０００６】
【特許文献１】特開20０１−19０１５２号広報
【特許文献２】特開平０７−１６７５４１号広報
【特許文献３】実用新案登録20８３２20号広報
【発明の概要】
【発明が解決しようとする課題】
【０００７】
しかし、特許文献１の発明のランプを内臓したシャボン玉玩具は、シャボン玉を大気中に連続的に飛ばすことにおいては異なる玩具である。
【０００８】
また、特許文献２の発明においては、氷の薄片のボタン雪シャボン玉を空中に飛ばした状態を他の位置よりライト照明にて照射することであるが、これらのシステムの設置は簡単ではない、まして子供向けの通常のシャボン玉玩具で他のライトで照射をおこなうことには容易ではないものである。
【０００９】
また、特許文献３の発明においては、シャボン玉の吹き管に電源を電池としたライトを固定装着の状態であるか、又はシャボン玉吹き管にライトを着脱自在に設けた発明であって、装着に定められた装置のライト、又は装着に定められた装置付きの懐中電灯を用いるものであるため、家庭内に用いる一般の懐中電灯を利用できず不便である、また経済的にも不経済である。
【課題を解決するための手段】
【００１０】
上記の目的を達成すために、本発明に係るシャボン玉玩具の吹出し管に両端を止め、外しできるバンドを設けて、前記両端を止め、外しできるバンドによって懐中電灯を前記吹出し管に着脱自在に設けたことを特徴とする。
【００１１】
吹き出し管にバックルを備えた面ファスナーバンドを設けて、前記面ファスナイーバンドによって懐中電灯を前記吹き出し管に着脱自在に設けたことを特徴とする。
【００１２】
懐中電灯の筒状部を開鎖するバンドを吹出し管に設けて、前記懐中電灯を前記吹出し管に着脱自在にできる前記開鎖するバンドを設けたことを特徴とすることを特徴とする。
【００１３】
吹出し管に懐中電灯を着脱自在にできるバンドを複数設けて、前記懐中電灯を複数着脱できるように設けたことを特徴とする。
【発明の効果】
【００１４】
以上述べたごとく本発明によれば、夕暮れ時、夜、または暗い場所でシャボン玉飛ばしの遊びにおいて、吹出し管の管状に設けたバンドに懐中電灯を容易に装着ができる、よって吹出し口周囲前方を照射した状態でシャボン玉を連続的に飛ばすと、その光により空気中に舞うシャボン玉は美しく輝く状況は子供たちを喜ばすことができるものである。
【００１５】
また、吹出し管に様々な懐中電灯を簡単に装着できることで経済的である。
【００１６】
また、吹出し管に複数の懐中電灯を用いることができることから、空気中に舞うシャボン玉はより一層色合いをまして輝くものである。
【図面の簡単な説明】
【００１７】
【図１】本発明の第一実施例におけるシャボン玉玩具の吹出し管の台座にバンドを設けた斜視図である。
【図２】同シャボン玉玩具の吹出し管に懐中電灯をバンドによって固定した状態の側面図である。
【図３】本発明の第二実施例におけるシャボン玉玩具の吹出し管の台座にバックルを設けた面ファスナーバンドを設けた平面図である。
【図４】同シャボン玉玩具の吹出し管の台座に懐中電灯を載せて、面ファスナーバンドをバックルに通して固定しようとする平面図である。
【図５】同シャボン玉玩具の吹出し管の台座に懐中電灯を載せて、面ファスナーバンドをバックルに通して固定しようとする正面図である。
【図６】本発明の第三実施例におけるシャボン玉玩具の吹出し管の台座に開鎖バンドを設けた斜視図である。
【図７】同シャボン玉玩具の吹出し管の開鎖バンドに懐中電灯を固定した状態の側面図である。
【図８】本発明の第四実施例におけるシャボン玉玩具の吹出し管の二か所に台座とバンドを設けて懐中電灯を２台装着した側面図である。
【発明を実施するための形態】
【００１８】
本発明の実施の形態について図面を参照して説明する。
【００１９】
本発明の第一実施例のシャボン玉玩具の形態を図１、及び図２を参照して説明する。
図１は吹出し管の台座に懐中電灯を装着できるバンドを設けた斜視図である。
図２は吹出し管に懐中電灯をバンドによって装着した状態の側面図である。
図に示すごとく、１はシャボン玉玩具本体である、２は吹出し管で、吹出し管２の一端に４の吹き口を備える。
３は吹出し口である、吹出し口３と外周枠７とともにシャボン玉用発泡液を付着して、吹き口４より空気を送り込むことで、吹出し口３より連続的にシャボン玉が出るように設けられている、５はシャボン玉液を吸い込まないようにする安全装置の通気孔である。
【００２０】
８は懐中電灯で、吹出し管２に懐中電灯８を載せる台座11を設けて、台座11の両側にバンド14を設ける、バンド14は伸縮する構造にして、バンド14の両端の一方に面ファスナーのフック面15、もう一方に面ファスナーのループ面16を備えている。
【００２１】
よって、シャボン玉玩具１に懐中電灯８を図１、及び図２に示すように懐中電灯８の光源側をシャボン玉玩具１の吹出し口３の方向に向けて台座に載せる、懐中電灯８を載せた状態で筒状部９をバンド14で巻いてフック面15とループ面16を合わせて接着して懐中電灯８を装着、固定する、また懐中電灯８を取外すときはフック面15とループ面16を剥がし、懐中電灯８を外すこと着脱自在にできるものである。
【００２２】
したがって、図１、及び図２を参照、及び説明のごとく夕暮れ時、あるいは暗いところでシャボン玉遊びをするとき、シャボン玉玩具１に装着した懐中電灯８のスイッチＳＷをオンにして懐中電灯８の内臓の光源12である電球、又はＬＥＤを点灯する。
点灯することでシャボン玉玩具１の前面の全体が照らされた状態で、吹出し口３と外周枠７の部分にシャボン玉用発泡液を付着させて、吹き口４より空気を送り込むことで、空気の圧力により吹出し口３からシャボン玉は連続的に多数空気中に舞うとき、光源12の光により輝き、美しく見えることで、暗いところにおいても楽しく遊ぶことができるものである。
【００２３】
また、本発明の第二実施例のシャボン玉玩具の形態を図３、図４、及び図５を参照して説明する。
図３はシャボン玉玩具の吹出し管の台座にバックルを設けた面ファスナーバンドを設けた平面図である。
図４は吹出し管の台座に懐中電灯を載せて、面ファスナーバンドをバックルに通して固定しようとする平面図である。
図５は吹出し管の台座に懐中電灯を載せて、面ファスナーバンドをバックルに通して固定しようとする正面図である。
図に示す如く、吹き出し管２に懐中電灯８を載せる台座11を設けて、面ファスナーバンド17を台座11の両側に延出状態に設ける、面ファスナーバンド17の一方端にバックル18を設けて、もう一方端は長めの面ファスナーバンド17に設ける。
【００２４】
よって、シャボン玉玩具１の吹出し管２に懐中電灯８を図３、図４、及び図５に示すように懐中電灯８の光源側をシャボン玉玩具１の吹出し口３の方向に向けて台座11に載せる、懐中電灯８を載せた状態で面ファスナーバンド17を筒状部９を巻きながら、一方端のバックル18の孔に通して引いて、締めながらバックルより折り返して止めることで吹出し管２の管状の台座11に懐中電灯８を装着、固定する、また懐中電灯８を取外すときはバックル18より面ファスナー17を緩めて、懐中電灯８を外すこと着脱自在にできるものである。
【００２５】
したがって、図３、図４、及び図５を参照、及び説明のごとく夕暮れ時、あるいは暗いところでシャボン玉遊びをするとき、シャボン玉玩具１に装着した懐中電灯８のスイッチＳＷをオンにして懐中電灯８の内臓の光源12である電球、又はＬＥＤを点灯する。
点灯することでシャボン玉玩具１の前面の全体が照らされた状態で、吹出し口３と外周枠７の部分にシャボン玉用発泡液を付着させて、吹き口４より空気を送り込むことで、空気の圧力により吹出し口３からシャボン玉は連続的に多数空気中に舞うとき、光源12の光により輝き、美しく見えることで、暗いところにおいても楽しく遊ぶことができるものである。
【００２６】
本発明の第三実施例のシャボン玉玩具１の形態を図６、及び図７を参照して説明する。
図６は吹出し管の台座に開鎖バンドを設けた斜視図である。
図７は吹出し管の開鎖バンドにライトを固定した状態の側面図である。
図に示すごとく、１はシャボン玉玩具本体である、２は吹出し管で、吹出し管２の一端に４の吹き口を備える。
３は吹出し口である、吹出し口３と外周枠７とともにシャボン玉用発泡液を付着して、吹き口４より空気を送り込むことで、吹出し口３より連続的にシャボン玉が出るように設けられている。
５はシャボン玉液を吸い込まないようにする安全装置の通気孔である。
【００２７】
また、８は懐中電灯で、吹出し管２に懐中電灯８を載せる台座11を設けて、台座11の両側に開閉する開鎖バンド19を設ける、20は伸び縮みする伸縮固定具で開鎖バンド19を閉じた状態を維持するものである。
よって、懐中電灯８を台座14に載せて開鎖バンド19と伸縮固定具20によって着脱できるように設ける。
【００２８】
したがって、シャボン玉玩具１に懐中電灯８を図６、及び図７に示すように開鎖バンド19を開いて懐中電灯８の光源側をシャボン玉玩具１の吹出し口３方向に向けて懐中電灯８の筒状部９を台座11に載せる、懐中電灯８を載せた状態で開鎖バンド19を閉じた状態にして伸縮固定具20を開鎖バンド19の両先端部にかけて懐中電灯８を装着する、また懐中電灯８を取外す時は伸縮固定具20を開鎖バンド19の先端より外すことから着脱自在にできるものである。
よって、夕暮れ時、あるいは暗いところでシャボン玉遊びをするとき、シャボン玉玩具１に装着した懐中電灯８のスイッチＳＷをオンにして懐中電灯８の内臓の光源８である電球、又はＬＥＤを点灯する。
点灯することでシャボン玉玩具１の前面の全体が照らされた状態で、吹出し口３と外周枠７の部分にシャボン玉用発泡液を付着させて、吹口４より空気を送り込むことで、空気の圧力により吹出し口３からシャボン玉は連続的に多数空気中に舞うとき、光源８の光により輝き、美しく見えることで、暗いところにおいても楽しく遊ぶことができるものである。
【００２９】
なお、吹出し管に設けたバンドにおいて、一ヶ所のバンドに複数の懐中電灯を装着も可能である。
【００３０】
本発明の第四実施例のシャボン玉玩具１の形態を、図８を参照して説明する。
図８は吹出し管に二か所に台座とバンドを設けて懐中電灯を２台装着した側面図である。
図に示すごとく、１はシャボン玉玩具本体である、２は吹出し管で、吹出し管２の一端に４の吹き口を備える、３は吹出し口である、吹き出し口３と外周枠７とともにシャボン玉用発泡液を付着して、吹き口４より空気を送り込むことで、吹出し口３より連続的にシャボン玉が出るように設けられている、５はシャボン玉液を吸い込まないようにする安全装置の通気孔である。
【００３１】
また、８は懐中電灯で、吹出し管２に懐中電灯８を載せる台座11を二か所設けて、夫々の台座11の両側にバンド14を設ける、バンド14は伸縮する構造にして、バンド14の両端の一方に面ファスナーのフック面15、もう一方に面ファスナーのループ面16を備えている。
よって、２台の懐中電灯８を夫々に台座11に載せてバンド14によって着脱できるように設ける。
【００３２】
したがって、シャボン玉玩具１の吹出し管２に懐中電灯８を図８に示すように２台の懐中電灯８の光源側をシャボン玉玩具１の吹出し口３の方向に向けて夫々の台座に載せる、懐中電灯８を載せた状態でバンド14を巻いた状態にしてフック面15とループ面16を合わせて懐中電灯８を装着することで、着脱自在にできるものである。
よって、夕暮れ時、あるいは暗いところでシャボン玉遊びをするとき、シャボン玉玩具１に装着した懐中電灯８のスイッチＳＷをオンにして懐中電灯８の内臓の光源12である電球、又はＬＥＤを点灯する。
吹出し管２の二台の懐中電灯８が点灯することでシャボン玉玩具１の前面の全体が照らされた状態で、吹出し口３と外周枠７の部分にシャボン玉用発泡液を付着させて、吹口４より空気を送り込むことで、空気の圧力により吹出し口３からシャボン玉は連続的に多数空気中に舞うとき、二台の懐中電灯８の光源12の光により輝き、美しく見えることで、暗いところにおいても楽しく遊ぶことができるものである。
【００３３】
なお、細いバンドを用いて、シャボン玉玩具１の吹出し管２の管に設けた台座に懐中電灯８を固定するときは、細いバンドで縛り固定することで着脱自在にできることも可能である。
【符号の説明】
【００３４】
１はシャボン玉玩具
２は吹出し管
３は吹出し口
４は吹き口
５は通気孔
６はスイッチ部
７は外周枠
８は懐中電灯
９は筒状部
１０は反射板
１１は台座
１２は光源
１３は照明前面レンズ
１４はバンド
１５はマジックテープのフック面
１６はマジックテープのループ面
１７は面ファスナーバンド
１８はバックル
１９は開鎖バンド
２０は伸縮式固定具
【図１】
2015061570.tif 000003
【図２】
2015061570.tif 000004
【図３】
2015061570.tif 000005
【図４】
2015061570.tif 000006
【図５】
2015061570.tif 000007
【図６】
2015061570.tif 000008
【図７】
2015061570.tif 000009
【図８】
2015061570.tif 000010